【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
ロータの中心線両側において該ロータに設置した一対のガイドフレームと、前記両ガイドフレームにそれぞれスライド自在に支持するスライダーとに、合計４個のクランプを同方向に向けて、２個づつが上下の関係を保つように設置する共に、前記スライダーに設置する２個のクランプを前記ガイドフレームに沿って往復移動可能な可変型とし、この２個の可変型クランプの袋挟持面に対向する稼動爪が、前記ロータ中心側からみて手前方向への開放構造であるのに対し、他方固定型の２個のクランプそれぞれの袋挟持面に対向する稼動爪を、前記ロータ中心側からみて前方方向へ開放する構成であり、
前記両可変型クランプの袋の挟持面と、他方固定型の２個のクランプそれぞれの袋挟持面とを縦方向に面一状態で前記ロータと一体に間歇移動移動させ、前記各クランプが同ロータ周囲の袋給セクションにおいて一時停止するタイミング合わせて、同クランプに対して前方からガゼット袋を供給する作用に先立ち、前記可変型２個のクランプ間の間隔を、前記ガゼット袋の通過を許容する状態まで広げ、そして前記の供給されるガゼット袋の両側を少なくとも固定型の２個のクランプにより一括挟持し、
その後、前記ロータの回転で前記のガゼット袋を後域の持ち替えセクションに搬送し、前記ガゼット袋両側縁の前記クランプによる一括挟持を一旦解放する一方、ガゼット袋の前後面に吸着する真空吸盤で前記ガゼット袋を開口し、前後方向に相対移動する固定型クランプと、前記の可変型クランプとにより前記ガゼット袋の４隅を挟持し、そのあと、スライダーによる前記可変型クランプの変位で前記袋を大きく開口して被包装物を充填する装置。
【請求項２】
両側のスライダーに支持する可変型クランプの両側方向への開閉は、同可変型クランプのアームを、前記スライダーの棚型ヘッドに縦型ピンを介して枢支すると共に、前記ピンに巻きつけた捻りスプリングの引きつけ力により、前記のクランブアームを前記スライダーのストッパーに押し付けて位置保持する一方、同クランプアームに作用する外部からの操作力により行う請求項１に記載の装置。
【請求項３】
包装に用いる包袋の幅員を用途に応じて変更する際の、両側のクランプ間隔の調整は、前記クランプを支持する両ガイドフレームを、ロータに形成した案内レールにスライド自在に支持すると共に、前記両ガイドフレームと係合するねじ棒の回転で両同両ガイドフレーム間の間隔調整を可能にした請求項１に記載の装置。
【請求項４】
持ち替えセクションにおいてガゼット袋の前後面を横方向に所定の間隔を保って配置した複数の真空吸盤で吸着して開口する構成において、これら複数真空吸盤の間隔を調整するアジャストスクリューの駆動モータを、ロータに支持する両ガイドフレームの間隔を調整するねじ棒の回転から発生するパルス信号でもってコントロールし、前記複数の真空吸盤の間隔と、前記両ガイドフレームに支持する４個のクランプ間隔とを一体に調整する請求項１又は３に記載の装置。
【請求項５】
ガイドフレーム１１に沿ったスライダー１３の運動は、ロータ１０に固定したブラケット１８に支持する支持軸２４の一端にレバー２５を、同他端にL型リンク２９をそれぞれ固定すると共に、前記レバー２５に設けた滑車を環状カム２８に接触させる一方、前記ブラケット１８に枢支するベルクランク２０の一端と前記L型リンク２９とを連接棒２３を介して連結すると共に、前記ベルクランク２０他端に設けた棒材２１を、前記スライダー１３の縦長スリット２２に係合し、前記L型リンク２９に働く引きバネ２７と、前記引きバネ２７に対抗する前記環状カム２８の勾配とで行う請求項１記載の装置。
【請求項６】
環状カムの内側に配置する補助カムをロータ停止時に変位させ、この補助カムの変位によるスライダー変位でもって、可変クランプを単独で前方にまた逆方向にそれぞれ変位するようにした請求項１または５に記載の装置。
【請求項７】
A 、両側２個の上部クランプと、前記両上部クランプそれぞれの下域に並列配置した２個の下部クランプとが、ロータと一体に袋給セクションに到達するタイミングに合わせて、前記上下両クランプに対して前方からガゼット袋を供給する袋詰め包装機において、
B、前記クランプに対する前記ガゼット袋の供給作用に先立ち、前記上下両クランプの内、前記ロータに固定した側のクランプの袋挟持面に対向する稼動爪を、前記袋挟持面から前記ガゼット袋の供給に対向する方向に開放するのに対して、稼動爪をガゼット袋の供給と同方向に開放する可変クランプの間隔を、前記ガゼット袋の通過を許容する状態まで広げたのち、供給される前記ガゼット袋の両側を、少なくとも前記固定型の２個のクランプにより一括挟持して後域の持ち替えセクションに搬送し、
C、前記持ち替えセクションにおいて、前記ガゼット袋両側縁のクランプによる一括挟持を一旦解放する一方、同ガゼット袋の前後面に吸着する真空吸盤で前記ガゼット袋を開口し、予めガゼット袋の通過のため広げた間隔を再び狭める前記可変側クランプと、前記固定側クランプとを前後に相対移動させて、これら４個のクランプでもって開口した前記ガゼット袋の４隅を持ち替え挟持し、そのあと被包装物充填のために前記可変クランプの変位でもって前記ガゼット袋を大きく開放するようにした方法。
【手続補正２】
【補正対象書類名】明細書
【補正対象項目名】００１２
【補正方法】変更
【補正の内容】
【００１２】
また前記前記ブラケット１８の上部に軸受けしたL型リンク２９の一端と、前記ベルクランク２０の他端とを連設棒２３を介して連結する一方、前記リンク２９の支持軸２４端のレバー２５に設けた滑車２６を、前記リンク２９他端を引き寄せる方向に働くバネ２７の力により前記ロ―タ１０と同心の環状カム２８に圧接する。
【手続補正３】
【補正対象書類名】明細書
【補正対象項目名】００１７
【補正方法】変更
【補正の内容】
【００１７】
また図６及び図７に示すごく、既に説明したガイドフレーム１１に支持するスライダー１３先端の棚型ヘッド４４に、縦型ピン４５を介してクランプアーム４６を支持し、前記ピン４５に巻きつて配置した捻りコイルスプリング４７の引付力により前記アーム４６を、前記スライダーに設置したストッパー４８に押し付けて位置保持する。この位置保持は、ピン４５の下端に固定したメインレバー５９の端に作用する操作力６０で、前記捻りコイルスプリング４７のパワーに反力を加えることで解除できる。
【手続補正４】
【補正対象書類名】明細書
【補正対象項目名】００２６
【補正方法】変更
【補正の内容】
【００２６】
すなわち図１７のごとく各稼動爪３５，４９を開放した状態で、図１８のごとく可変型クランプ１４を前方に押し出してガゼット袋の開口余裕間隙を形成し、最終的に図１９のごく４個のクランプ１２、１４でガゼット袋の４隅を挟持するのである。つまり図１１の挟持面４１、５５が面一状態に比較して、図１６は位置ずれした上下の稼動爪３５，４９がガゼット袋の２列のひだ７３，７４を挟持している状態を示している。
【手続補正５】
【補正対象書類名】明細書
【補正対象項目名】００３３
【補正方法】変更
【補正の内容】
【００３３】
１‥‥給袋セクション
２‥‥持ち替えセクション
１０‥‥ロータ
１１‥‥ガイドフレーム
１２‥‥固定側クランプ
１３‥‥スライダー
１４‥‥可変側クランプ
１６‥‥包袋
１８‥‥ブラケット
２０‥‥ベルクランク
２１‥‥棒材
２２‥‥縦長スリット
２３‥‥連接棒
２４‥‥支持軸
２５‥‥レバー
２６‥‥滑車
２７‥‥バネ
２８‥‥カム
２９‥‥L型リンク
３１‥‥補助カム
３５、４９‥‥稼動爪
３４、４６‥‥クランプアーム
４１、４５‥‥袋の挟持面
４４‥‥棚型ブロック
４７‥‥捻りコイルスプリング
４８‥‥ストッパー
７１、７２‥‥真空吸盤
７５‥‥ねじ棒
７６‥‥ガイド
８０‥‥モータ
８２‥‥アシャストスクリュー